(57)【要約】【課題】  円滑かつ確実に飲料缶の上下面の一方の縁部に嵌合することができるとともに、取扱中に不用意に離脱することがない景品収納容器を提供する。【課題を解決するための手段】  収納容器１は、飲料缶の上面の縁部に着脱可能に嵌合するものであって、上面及び側面は閉塞し、下面は開放する一方、この下面から収納した景品が外部に出ることを阻止する皿状の蓋板１５を着脱可能に設け、側面の下端縁２には、飲料缶の嵌合する縁部に弾力的に係止する係止片５，６を、一対の切り込み３ａ，３ｂ，４ａ，４ｂを設けて形成したものである。【選択図】    図１
2006327662.tif 000002
【特許請求の範囲】
【請求項１】
飲料缶の上下面の一方の縁部に着脱可能に嵌合する景品収納容器であって、上面及び側面は閉塞し、下面は開放する一方、この下面から収納した景品が外部に出ることを阻止する蓋板を着脱可能に設け、側面の下端縁には、飲料缶の嵌合する縁部に弾力的に係止する係止片を設けたことを特徴とする飲料缶用景品収納容器。
【請求項２】
係止片は、景品収納容器の側面の下端縁に一対の切り込みを設けて形成するとともに、下端内面には突縁を設けてなることを特徴とする請求項１記載の飲料缶用景品収納容器。
【請求項３】
複数の飲料缶に対して着脱可能に構成したことを特徴とする請求項１または請求項２記載の飲料缶用景品収納容器。
【発明の詳細な説明】
【技術分野】
【０００１】
本発明は、飲料缶の上下面の一方の縁部に着脱可能に嵌合する景品収納容器に関する。
【背景技術】
【０００２】
従来から飲料缶に景品を付けて販売するために、飲料缶の上下面の一方の縁部に着脱可能に嵌合する溝を設けた、景品を収容する蓋状の景品収納容器は知られている。
【特許文献１】実公昭６０−３０７６号公報
【特許文献２】登録実用新案第３０９７４８９号公報
【発明の開示】
【発明が解決しようとする課題】
【０００３】
ところが、飲料缶の上下面の径は、製缶メーカーによって若干異なるため、溝を設ける位置や溝の幅によって、景品収納容器と飲料缶の嵌合状態がきつすぎたり、ゆるすぎたりすることが多く、きつすぎると購入者が景品収納容器を飲料缶から離脱するのが困難になり、ゆるすぎると飲料缶の搬送などの取扱において不用意に景品収納容器が外れてしまうという不都合を生じている。本発明は、このような不都合を解消した飲料缶用景品収納容器を提供することを目的とする。
【課題を解決するための手段】
【０００４】
この目的を達成するため、本発明の請求項１に係る飲料缶用景品収納容器は、飲料缶の上下面の一方の縁部に着脱可能に嵌合する景品収納容器であって、上面及び側面は閉塞し、下面は開放する一方、この下面から収納した景品が外部に出ることを阻止する蓋板を着脱可能に設け、側面の下端縁には、飲料用缶の嵌合する縁部に弾力的に係止する係止片を設けたものである。
【０００５】
また、同じく上述の目的を達成するため、本発明の請求項２に係る飲料缶用景品収納容器は、上記請求項１の構成において、係止片は、景品収納容器の側面の下端縁に一対の切り込みを設けて形成するとともに、下端内面には突縁を設けてなることを特徴とする。
【０００６】
さらに、同じく上述の目的を達成するため、本発明の請求項３に係る飲料缶用景品収納容器は、請求項１または請求項２記載の構成において、複数の飲料缶に対して着脱可能に構成したことを特徴とする。
【発明の効果】
【０００７】
本発明の請求項１に係る飲料缶用景品収納容器によれば、飲料缶の上下面の一方の縁部に弾力的に係止する係止片を設けたので、円滑かつ確実に飲料用缶の上下面の一方の縁部に嵌合することができるとともに、取扱中に不用意に離脱することがないという効果を奏する。
【０００８】
本発明の請求項２に係る飲料缶用収納容器によれば、飲料缶への嵌合をより円滑かつ確実になし得るという効果を奏する。
【０００９】
本発明の請求項３に係る飲料缶用収納容器によれば、上記各効果に加えて、複数の飲料缶に対して使用できるという効果を奏する。
【発明を実施するための最良の形態】
【００１０】
以下、本発明の好適な実施形態を添付図面に基づいて説明する。ここにおいて、図１は本発明の飲料缶用景品収納容器（以下単に収納容器という。）を示す斜視図、図２は同じく断面図、図３は飲料用缶への嵌合状態を示す斜視図である。
【００１１】
図１〜図３に示すように、収納容器１は２個の飲料缶の上面縁部に嵌合するもので、合成樹脂を一体成形してなり、平面形状がほぼ小判型で、上面及び側面は閉塞して、下面は開放し、下端縁２は鍔状に形成している。前記下端縁２の対向する円弧状部分には、それぞれ一対の切り欠き３ａ，３ｂ，４ａ，４ｂによって、係止片５，６を形成し、これら係止片５，６の下端内面には突縁７，８を形成している。また、前記下端縁２の各円弧状部分の内面にも、適宜間隔をおいてそれぞれ４つの突部１７ａ，１７ｂ，１７ｃ，１７ｄ，１８ａ，１８ｂ，１８ｃ，１８ｄを形成している。
【００１２】
下端縁２の直状の対向壁中央部には、内側に向けて突出する各２つの円弧部９ａ，９ｂ，１０ａ，１０ｂとこれらの間に位置する各一つの直状部９ｃ，１０ｃからなる突壁９，１０が形成されている。前記下端縁２の円弧状部分と、これに連続する前記突壁９，１０の各円弧部９ａ，１０ａ，９ｂ，１０ｂとで、飲料缶１１，１２の上面の外周にならった円弧を形成している。そして、前記下端縁２の円弧状部分と、前記円弧部９ａ，１０ａ，９ｂ，１０ｂとによって、飲料缶１１，１２の上縁に嵌合し、各突部１７ａ，１７ｂ，１７ｃ，１７ｄ，１８ａ，１８ｂ，１８ｃ，１８ｄと各係止片５，６の突縁７，８で係止する。この時、前記各突縁７，８は弾力的に変位し、嵌合動作を容易にする。
【００１３】
収納容器１の側壁の内側には、長方形状の枠体１３が上面から垂下するように設けられ、この枠体１３の短い対向壁１３ａ，１３ｂの下部には、嵌合孔１４ａ，１４ｂが設けられている。これら嵌合孔１４ａ，１４ｂに、仮想線で示す収納した景品Ｘ１，Ｘ２が外部に出ることを阻止する皿状の蓋板１５の突片１５ａ，１５ｂを嵌合することで、前記蓋板１５を前記枠体１３に着脱可能に設けている。なお、１６ａ，１６ｂは、前記蓋板１５の着脱動作に際して、作業者が前記蓋板１５を摘むために指を挿入する透孔である。
【００１４】
次に、上述の収納容器１の使用法を説明する。まず、収納容器１内に景品Ｘ１，Ｘ２を収納し、蓋板１５を、突片１５ａ，１５ｂを嵌合孔１４ａ，１４ｂに嵌合して、収納容器１に装着する。続いて、図２及び図３に示すように、下端縁２の円弧状部分と、突壁９，１０の各円弧部９ａ，１０ａ，９ｂ，１０ｂとを、飲料缶１１，１２の各上面の縁部に対応させて押し込むと、各係止片６，７は弾性を有するので変位しながらその突縁７，８が、各突部１７ａ，１７ｂ，１７ｃ，１７ｄ，１８ａ，１８ｂ，１８ｃ，１８ｄとともに所定位置に係止し、前記飲料缶１１，１２の上面縁部に円滑、かつ確実に嵌合する。
【００１５】
一方、この嵌合状態において、収納容器１を飲料缶１１，１２から離脱するように引き離すと、上述の係止状態が解除されて、収納容器１は飲料缶１１，１２から脱却する。ここで、蓋体１５を収納容器１から離脱し、景品Ｘ１，Ｘ２を取り出すことができる。
【００１６】
なお、本発明は上述の実施形態に限定されるものではなく、例えば、収納容器１を嵌合する飲料缶１１，１２は二つに限らず、一つでもよいし、三つ以上でもよい。
【図面の簡単な説明】
【００１７】
【図１】収納容器を示す斜視図。
【図２】同じく断面図。
【図３】収納容器を飲料缶へ嵌合した状態を示す斜視図。
【符号の説明】
【００１８】
１    収納容器
２    下端縁
３ａ，３ｂ，４ａ，４ｂ    切り欠き
５，６    係止片
７，８    突縁
９，１０    突壁
１１，１２    飲料缶
１４ａ，１４ｂ    嵌合孔
１５    蓋板
１５ａ，１５ｂ    突片
１７ａ，１７ｂ，１７ｃ，１７ｄ，１８ａ，１８ｂ，１８ｃ，１８ｄ    突部
【図１】
2006327662.tif 000003
【図２】
2006327662.tif 000004
【図３】
2006327662.tif 000005